(57)【要約】      （修正有）【課題】比較的軽量で安定性が良く、同時に間伐材の有効利用を図ることができる標示板を提供する。【解決手段】標示板は、方形の枠体１に対し枠体内を覆うように標示パネルを付設したものであり、枠体を構成し相対向する一対の枠材２ａ，２ｂの対向面に枠材方向に沿った案内溝を設け、複数の板材１２を板幅方向に隣接させて長手方向の両端部を順次この案内溝に収容してパネル状に並べるとともに板材の表面側にプラスチックパネル１１の両端を板材と共に案内溝に収容して支持させている。板材は間伐材を製材した板であり、案内溝に板材の収容を完了した状態で、板材と隣接する側の枠材３の内面と板材の隣接面との間に吸湿による全板材の幅寸法変化を許容する隙間Ｓ１を予め設けるのが好ましい。【選択図】図１
0003191438.tif 000002
【実用新案登録請求の範囲】
【請求項１】
方形の枠体（１）に対し枠体（１）内を覆うように標示パネルを付設した標示板において、枠体（１）を構成し相対向する一対の枠材（２ａ），（２ｂ）の対向面に枠材方向に沿った案内溝（９）を設け、複数の板材方向に沿った案内溝（９）を設け、複数の板材（１２）を板幅方向に隣接させて長手方向の両端部を順次上記案内溝（９）に収容してパネル状に並べるとともに上記板材（１２）の表面側にプラスチックパネル（１１）の両端を前記板材（１２）と共に案内溝（９）に収容して支持させてなる板材を利用した標示板。
【請求項２】
板材（１２）が間伐材を製材した板である請求項１に記載の板材を利用した標示板。
【請求項３】
案内溝（９）に板材（１２）の収容を完了した状態で、収容した板材（１２）と隣接する側の枠材（３）の内面と上記板材（１２）の隣接面との間に板材（１２）の板幅の吸湿による全板材の寸法変化を許容する隙間（Ｓ１）を予め設けた請求項１又は２のいずれかに記載の板材を利用した標示板。
【請求項４】
案内溝（９）に板材（１２）及びプラスチックパネル（１１）を収容した状態で、板材（１２）とプラスチックパネル（１１）の合計板厚と案内溝（９）の溝幅との間に、板材（１２）の吸湿による板厚の寸法変化及び乾燥による歪みを許容する隙間（Ｓ２）を設けた請求項１〜３のいずれかに記載の板材を利用した標示板。
【請求項５】
枠体（１）が相対する２組の枠材（２ａ），（２ｂ），（３），（４）を正方形又は長方形に形成若しくは組み合わせて固定し、相対向し合う案内溝（９）の一端は板材（１２）及びプラスチックパネル（１１）の両端の差込み挿入時には枠体（１）が固定された状態で当該挿入が可能な開放端として確保される請求項１〜４のいずれかに記載の板材を利用した標示板。
【請求項６】
枠体（１）の板材挿入側の枠材（３）を、案内溝（９）を有する一対の枠材（２ａ），（２ｂ）の一端を予め連結固定する固定枠材（３ａ）と、板材（１２）及びプラスチックパネル（１１）の挿入完了後に上記固定枠材（３ａ）に沿って取付けられ、案内溝（９）の開放端側を閉じて板材（１２）及びプラスチックパネル（１１）の抜け出し防止を行う後付け枠材（３ｂ）とで構成した請求項５に記載の板材を利用した標示板。
【請求項７】
固定枠材（３ａ）と後付け枠材（３ｂ）を、枠体（１）を定置した状態で正方形又は長方形の枠体（１）の上端側に設けた請求項６に記載の板材を利用した標示板。
【請求項８】
板材（１２）の上下の側辺が左右方向に平行であって、多数の板材（１２）を下部の枠材（４）上に順次積み重ねて支持される請求項７に記載の板材を利用した標示板。
【請求項９】
挿入溝（９）を形成する枠材（２ａ），（２ｂ）が円形又は多角形の断面のパイプ材からなり、案内溝（９）を枠体（１）におけるパイプ材の内側の周壁を切欠き状に形成したＣ型断面である請求項１〜８のいずれかに記載の板材を利用した標示板。
【請求項１０】
プラスチックパネル（１１）を表面からの透視が可能な透明又は半透明な材質とし、その表面又は裏面に必要な標示を施し、背面の板材（１２）を該標示を際立たせる背景材として兼用する請求項１〜９のいずれかに記載の板材を利用した標示板。
【請求項１１】
プラスチックパネル（１１）を背面の板材（１２）表面からの透視が可能な透明又は半透明な材質とし、背面の板材（１２）に標示を施してなる請求項１〜９のいずれかに記載の板材を利用した標示板。
【考案の詳細な説明】
【技術分野】
【０００１】
この考案は道路，通路，工事現場，イベント会場等における案内や警告等の標示を行う際に用いる主として間伐材を加工した板材を利用した標示板に関する。
【背景技術】
【０００２】
これまで中山間地域では国策として杉，桧等の植林が行われてきたが、現在では輸入木材に押されて放置されていた森林の有効活用や花粉症対策として、全国的に間伐が新たな国策として進められており、さらにその結果大量に発生する間伐材の有効処理対策として国土交通省により道路標示パネル材としての利用が促進されている。
【０００３】
そして間伐材の大半は本来の建築材に適さないため、９０〜８０ｍｍ径の丸太材が１２０〜１４０ｍｍ幅の板材として粗加工され、道路標示パネルにはこれらがカッティングされて枠材やパネル材として組み合わせ利用され、ボルトや大寸法の釘，カスガイ等で固定される。
【０００４】
他方、従来正方形又は長方形の枠体内に標示パネルを取付け、背面に折畳み可能なスタンドを取付けた上記のような表示装置として特許文献１及び２に示すもの等が知られている。
上記特許文献１の表示装置は長方形の枠体の内周に溝を設け、その溝内に板の外周縁を嵌合させて標示板を支持する折畳み式のスタンド付であり、この例では標示板は透明プラスチック板で周面からＬＥＤ照明を当てる発光型のものである。
また特許文献２に記載の標示板は、方形の枠体の表面側に標示パネルを沿わせ、枠体の周面と表面に被さるＬ字形の押え枠で締着固定するものである。
【先行技術文献】
【特許文献】
【０００５】
【特許文献１】実用新案登録第３１６８１１５号公報
【特許文献２】特開２００２−１８０４２６号公報
【考案の概要】
【考案が解決しようとする課題】
【０００６】
しかし上記のような間伐材利用の標示パネルは大型化して重量も過大になるため、非効率な現場組立を避けるとすれば、組立後の搬送や設置又は移設等に多大な労力やレッカー等の重機を要するほか、屋外設置なので歪みや反り、吸水乾燥による伸縮で変形し、固定が外れたり不安定化する欠点があり、車両や通行人の接触、衝突等による事故や身体への危険もある。さらに木材表面の標示内容も風化により劣化して判別が難しくなり、標示本来の機能が果たせなくなる欠点がある。
【０００７】
また上記特許文献のものは、いずれも軽量化のために薄手のプラスチックパネルが用いられているために、僅かな風や通行人又は各種搬送物に接触する等により転倒したり位置や姿勢、向きが変更され、危険であるだけでなく方向要素を示す標示板では標示を誤る結果となる等の欠点がある。
これらの問題を解決するためには、スタンドや枠体に必ず数キログラムあるウエイトを固定し又は背面側のスタンドと枠体間に架設されたウエイト台に載せる必要がある。また特許文献２に示すものは、標示パネル交換の都度四辺の押え枠の着脱や締付けを行わなければならない煩わしさがあるほか、部品点数も多くコスト高になるという難点がある。
【課題を解決するための手段】
【０００８】
上記課題を解決するための本考案の標示板は、第１に方形の枠体１に対し枠体１内を覆うように標示パネルを付設した標示板において、枠体１を構成し相対向する一対の枠材２ａ，２ｂの対向面に枠材方向に沿った案内溝９を設け、複数の板材方向に沿った案内溝９を設け、複数の板材１２を板幅方向に隣接させて長手方向の両端部を順次上記案内溝９に収容してパネル状に並べるとともに上記板材１２の表面側にプラスチックパネル１１の両端を前記板材１２と共に案内溝９に収容して支持させてなることを特徴としている。
【０００９】
第２に、板材１２が間伐材を製材した板であることを特徴としている。
【００１０】
第３に、案内溝９に板材１２の収容を完了した状態で、収容した板材１２と隣接する側の枠材３の内面と上記板材１２の隣接面との間に板材１２の板幅の吸湿による全板材の寸法変化を許容する隙間Ｓ１を予め設けたことを特徴としている。
【００１１】
第４に、案内溝９に板材１２及びプラスチックパネル１１を収容した状態で、板材１２とプラスチックパネル１１の合計板厚と案内溝９の溝幅との間に、板材１２の吸湿による板厚の寸法変化及び乾燥による歪みを許容する隙間Ｓ２を設けたことを特徴としている。
【００１２】
第５に、枠体１が相対する２組の枠材２ａ，２ｂ，３，４を正方形又は長方形に形成若しくは組み合わせて固定し、相対向し合う案内溝９の一端は板材１２及びプラスチックパネル１１の両端の差込み挿入時には枠体１が固定された状態で当該挿入が可能な開放端として確保されることを特徴としている。
【００１３】
第６に、枠体１の板材挿入側の枠材３を、案内溝９を有する一対の枠材２ａ，２ｂの一端を予め連結固定する固定枠材３ａと、板材１２及びプラスチックパネル１１の挿入完了後に上記固定枠材３ａに沿って取付けられ、案内溝９の開放端側を閉じて板材１２及びプラスチックパネル１１の抜け出し防止を行う後付け枠材３ｂとで構成したことを特徴としている。
【００１４】
第７に、固定枠材３ａと後付け枠材３ｂを、枠体１を定置した状態で正方形又は長方形の枠体１の上端側に設けたことを特徴としている。
【００１５】
第８に、板材１２の上下の側辺が左右方向に平行であって、多数の板材１２を下部の枠材４上に順次積み重ねて支持されることを特徴としている。
【００１６】
第９に、挿入溝９を形成する枠材２ａ，２ｂが円形又は多角形の断面のパイプ材からなり、案内溝９を枠体１におけるパイプ材の内側の周壁を切欠き状に形成したＣ型断面であることを特徴としている。
【００１７】
第１０に、プラスチックパネル１１を表面からの透視が可能な透明又は半透明の材質とし、その表面又は裏面に必要な標示を施し、背面の板材１２を該標示を際立たせる背景材として兼用することを特徴としている。
【００１８】
第１１に、プラスチックパネル１１を背面の板材１２表面からの透視が可能な透明又は半透明な材質とし、背面の板材１２に標示を施してなることを特徴としている。
【考案の効果】
【００１９】
以上のように構成される本考案の標示板は次のような効果を奏する。
（１）間伐材の有効利用策の趣旨にも沿い、従来の間伐材の枠材や柱材又は板打ちパネル等としての利用に比し、標示パネル自体の小型化、軽量化が実現でき、大型で過大重量による取扱いや設置及び移設上の不便が解消される。また全体を間伐材で製造した標示パネルに比し、設置スペースも小さくて済む他、車両や通行人の妨げにもなる度合も少なく、衝突時や接触時の危険防止や身体への安全にも資するという利点がある。
【００２０】
（２）表面側のプラスチックパネルの他に一定厚みの板材を収容することにより、標示板全体に一定の重量が与えられ、特に強い風や突風でない限り又は通行人や搬送物との軽い接触では転倒や姿勢や位置，向きの変動等が生じない。このためこれらのケースでは特別なウエイトを省略でき、又は比較的軽量のウエイトで足りる利点がある。
【００２１】
（３）板材は結果として複数枚に分割構成されているので軽量であり、分解状態での搬送や現場での組立ても容易で、重量による取扱いの妨げを生じない。また板材は多数に分割されていても案内溝に沿ってパネル状に保たれているので、標示板としての安定性にも優れている。
【００２２】
（４）表面のプラスチックパネルは、板材のカバーの役割を果たすので板材の雨水その他による劣化も防止でき、板材の耐久性や寿命の点で優れているほか、プラスチックパネルは常に板材によって背面で支持されているので、厚みの薄いもので足りる。
さらに枠内にパネル状に隣接させて収容した板材の全板材の隣接収容幅に対し、板材方向の相対向し合う枠材内面との間に隙間を設け、又は案内溝の溝幅とここに収容するプラスチックパネル及び板材との厚みの間にも隙間を設けることにより、板材の吸水や乾燥による板厚の変化や歪み、湾曲等が生じてもパネル全体の変形や固定部の外れ等が生じることはなく、標示パネルとしての機能を妨げられることもない。
【００２３】
（５）案内溝の差込側の一端は、枠体が固定されていても板材やパネルの組込時には差込み可能な開放端となっているので、板材の差込は常に可能であり、後付枠材の取付けによって板材の抜け出しも防止できる。さらに枠材としてパイプ材を用い、案内溝をその周壁を切欠状にしたＣ型断面にすることで、全体の軽量化やコスト低減も実現できる。
【００２４】
（６）プラスチックパネルを透明又は半透明にすることで、それ自体に標示を施すことも背面の板材に標示を施して標示面として利用することも可能で、標示面の選択に多くのバリエーションが期待できる。
【図面の簡単な説明】
【００２５】
【図１】本考案の標示板の全体構造を示す斜視図である。
【図２】同じく標示板の枠体とスタンド及びウエイト台の機構を示す全体斜視図である。
【図３】枠体の断面構造と板材及びプラスチックパネルの収納構造を示す水平拡大断面図である。
【考案を実施するための形態】
【００２６】
以下本考案の実施形態につき詳述すると、図１〜図３は本考案の１実施例を示し、正方形又は長方形（本実施例では１４００ｍｍ×５６０ｍｍの長方形）の枠体１は左右の縦方向の枠材２ａ，２ｂが互に向き合う円形又は多角形断面（本例では正八角形で対辺が約３１ｍｍ）のアルミ製パイプ材が用いられている。
【００２７】
枠体１は下端側に脚部５を残して上方に長方形の枠を形成し、上下のアルミ製の枠材３，４が横方向に連結固定され、枠全体として剛体となっている。
【００２８】
この内下部の枠材４は長方形断面のパイプ材で、左右の枠材２ａ，２ｂ間にビス止め又はリベット固定され、上部の枠材３は、背面側でリベット（６）固定される固定枠材３ａ（この枠材４，３ａで枠体１は全体として剛性を保っている）と、表面側に左右各別にリベット固着される取付プレート７と上記固定枠材３ａを介して着脱自在にボルト８で固定される後付け枠材３ｂとで構成される。そしてこの例では上部の後付け枠材３ｂは、左右の枠材２ａ，２ｂと同一断面のパイプ材からなり、固定枠材３ａと取付プレート７との間に収容されている。
【００２９】
左右の枠材２ａ，２ｂは図３に示されるように、下部枠材４より上部において内側の周壁の一部にパイプ軸心方向に沿った案内溝９が切欠状に形成されてＣ型断面の筒状になっている。この案内溝９には図１，図３で示すように枠体表面側にプラスチックパネル１１が、その背面側に多数の板材１２がプラスチックパネル１１に沿ってパネル状に積み重ねられて、溝上方より両端を順次差込み収容される。
【００３０】
その結果プラスチックパネル１１は枠体１の枠内を覆う（埋める）形になり、背面側には板材１２が重ねられてこれを支持する構造となり、案内溝９は、プラスチックパネル１１と板材１２の両端を重ねられて且つそれぞれを溝の上部開放端よりスライドさせながらスムースに差込める溝幅に形成される。溝幅と板材及び標示パネルの厚みの関係については後述する。
【００３１】
前述した固定枠材３ａは、左右の枠材の背面に固着されているので、案内溝９の上部開放端からのプラスチックパネル１１や板材１２の差込挿入を妨げることはなく、両者の差込完了後に後付け枠材３ｂを左右の枠材２ａ，２ｂ間及び固定枠材３ａと取付プレート７との間に収容し、ボルト固定される。上記左右の枠材２ａ，２ｂの上下端及び後述するスタンド１４の下端にはゴム又は軟質樹脂材からなるキャップ１３が、雨水やゴミ等の枠材内への侵入の防止、滑り止め等の目的で挿脱可能に嵌合されている。
【００３２】
さらに上記固定枠３と積み重ねられた板材の最上段（最後に収容した）の板材１２の上辺との間には、板材１２が吸水によって上下方向（隣接方向）に膨張して寸法変化しても枠体に外向きの圧力が掛からないように、例えば１〜３ｃｍ程度の隙間Ｓ１が形成されている。
【００３３】
同様に案内溝９の溝幅とプラスチックパネル１１及び板材１２の合計厚みとの間にも、隙間Ｓ２が設けられ、板材１２の膨張による板厚変化や乾燥による板材断面の湾曲等の歪みを許容し、案内溝９に溝幅方向の内圧が掛からず且つ板材１２やプラスチックパネル１１の差込みの妨げにならない構造になっている。本実施例ではプラスチックパネル厚２ｍｍ，板材厚９ｍｍ（合計１１ｍｍ）に対し、溝幅は１５ｍｍである。
【００３４】
また上部の後付け枠材３ｂには、板材１２とプラスチックパネル１１との上端を収容するように前記案内溝９と同様な案内溝（図示しない）が形成されることが望ましいが、上記上端の隙間Ｓ１を設ける場合は必ずしも必要ではない。
【００３５】
後付け枠材３に上記案内溝を形成した場合は、最終挿入板材１２やプラスチックパネル１１の上端を案内溝内に収容させることにより、両者の安定的な支持が可能となり且つ枠体１の内側すべてがこれらによって塞がれる利点がある。
【００３６】
前記板材１２には主として間伐材を例えば１２０〜１４０ｍｍ幅で９〜１４ｍｍ厚に製材したものを使用することにより、用途が乏しく、柱材等への加工等には加工コストがかさみがちな間伐材の有効利用に資することができる。その他廃棄物となって環境にも好ましくない木材の建築廃材等を適宜加工して利用することによる有効な資源活用に資する。
【００３７】
これらの材料は乾燥状態等による寸法変化や変形が激しいケースも多いが、本考案のように利用するには大きな支障はなく、利用し易い利点がある。また表面の節や年輪等の表れもプラスチックパネルを不透明材にして表面に標示を施し、プラスチックパネルを透明又は半透明にし、板材表面に塗装を施して標示を付すことにより標示板として利用することもできるほか、標示内容や設置場所等によっては未塗装の板材に標示し又はこれをバックとして標示することも可能である。
【００３８】
他方、プラスチックパネルは透明であれば単純に標示板表面のカバーとして利用できるほか、透明不透明に応じてそれ自体を、表面又は裏面に印刷や貼り付け標示することも可能で、これらのバリエーションの選択は板材の色彩や表面状態、標示の内容や場所等に応じて自由度の高いものである。
【００３９】
また枠体の縦枠２ａ，２ｂには図１，図２に示されるように背面側に公知の前後折畳み開閉可能な枠状のスタンド１４が設けられ、枠体１とスタンド１４の下端側には、スタンド１４を開いた状態で係脱可能に枠体１側と連結固定する梯子状のクランパー１６が、これも上下開閉可能に枠体１側に取付けられている。１６ａはクランパー１６の先端に設けられ、スタンド１４の下部横杆１４ａに係脱するチャンネル状断面の係合部である。そしてこのクランパー１６は図２に示すように必要に応じ現地調達可能な大型間伐材の丸太端材からなるウエイト１７を安定的に載置し、又はこれらをベルトやロープ等（図示しない）より固定して取付けることもできる。このようなウエイトを用いることにより、間伐材のさらなる有効利用が期待できる。なお、クランパー１６の先端のチャンネル状断面の係合部１６ａは、スタンド１４の上部横杆１４ｂに対し、折畳み状態係脱可能に係合できる構造になっている。
【符号の説明】
【００４０】
１      枠体
２ａ，２ｂ，３，４    枠材
３ａ    固定枠材
３ｂ    後付け枠材
５      脚部
６      リベット
７      取付プレート
８      ボルト
９      案内溝
１１    プラスチックパネル
１２    板材
１３    キャップ
１４    スタンド
１４ａ  下部横杆
１４ｂ  上部横杆
【図１】
0003191438.tif 000003
【図２】
0003191438.tif 000004
【図３】
0003191438.tif 000005